【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
コメントに応答するための方法であって、
公開投稿に関する複数のコメントを端末装置によって表示することと、
前記複数のコメントからの第１のコメントのユーザによる選択を前記端末装置によって受信することと、
前記受信に応じて、前記第１のコメントに加えて、前記複数のコメントからの１つ又は複数のコメントに対して、まとめて応答するためのインタフェースを前記ユーザに提供することと、
前記第１のコメントに加えて前記複数のコメントからの第２のコメントに応答する要求を前記端末装置によって前記インタフェースを介して取得することと、
前記端末装置によって、前記複数のコメントから第１の対象グループを決定することであって、前記第１の対象グループが、前記第１のコメントに含まれるキーワードと共通する又は同義である少なくとも１つのキーワードを有する応答対象を含むことと、
前記第１の対象グループに含まれる前記応答対象を前記端末装置によって表示することと、
前記第１のコメント及び前記第２のコメントに対する応答であって、前記ユーザによって入力された応答を、前記端末装置によって受信することと、
前記端末装置によって、前記第１の対象グループに含まれる前記応答対象のそれぞれに前記応答を送信することと、
を含む方法。
【請求項２】
前記第１のコメント及び前記第２のコメントに応答する前記要求をトリガするコマンドオプションを前記端末装置によって提供することをさらに含む、請求項１に記載の方法。
【請求項３】
第２の対象グループを取得するために、前記端末装置によって前記応答対象をフィルタリングすることであって、前記第２の対象グループが、フィルタリングされた応答対象を含むことを更に含み、前記応答対象のそれぞれに前記応答を前記端末装置によって送信することが、前記フィルタリングされた応答対象のそれぞれに前記応答を前記端末装置によって送信することを含む、請求項１に記載の方法。
【請求項４】
前記第１の対象グループを前記端末装置によって決定することが、前記応答対象の全て又は一部の内容を前記端末装置によって表示することを含む、請求項１に記載の方法。
【請求項５】
前記端末装置によって、前記複数のコメントから前記第１の対象グループを決定することが、
前記コメントから少なくとも１つの応答対象を決定することであって、前記少なくとも１つ応答対象が、前記第１のコメントに含まれるキーワードと共通する又は同義である少なくとも１つのキーワードを有することと、
前記少なくとも１つの応答対象の作成者と、前記コメントを受信するユーザとの間の関係を決定することと、
前記関係に基づいて前記第１の対象グループを決定することと、
を含む、請求項１に記載の方法。
【請求項６】
前記関係に基づいて前記第１の対象グループを決定することが、前記応答対象の作成者と前記ユーザとの間の相異なる関係に基づいて前記第１の対象グループの複数のサブ対象グループを決定することを含み、
前記方法が、前記選択されたサブ対象グループを取得するために、前記サブ対象グループをフィルタリングするコマンドオプションを提供することを更に含み、
前記応答対象のそれぞれに前記応答を送信することが、前記選択されたサブ対象グループにおける応答対象に前記応答を送信することを含む、請求項５に記載の方法。
【請求項７】
前記応答対象のそれぞれのための応答を前記端末装置によって生成することを更に含む、請求項１に記載の方法。
【請求項８】
前記応答対象のそれぞれのための前記応答を前記端末装置によって生成することが、
前記応答を取得することと、
前記応答対象のそれぞれのための応答を生成することと、
を含む、請求項７に記載の方法。
【請求項９】
前記応答対象のそれぞれのための前記応答を生成することが、 
前記応答の多数のバージョンを取得するために、前記取得された応答を修正することであって、前記多数のバージョンのそれぞれが、前記応答対象の１つに応答することを更に含む、請求項８に記載の方法。
【請求項１０】
前記応答対象のそれぞれのための前記応答を生成することが、相異なるタイムスタンプを備えた、前記応答対象のそれぞれのための応答を生成することを含む、請求項１に記載の方法。
【請求項１１】
前記公開投稿に関する新しいコメントが取得された場合に、応答された古いコメントと前記新しいコメントとの間の類似の内容を前記端末装置によって決定することと、
新しいコメントが、応答された古いコメントと類似の内容を有する場合に、前記新しいコメントへの応答として前記古いコメントへの応答を前記端末装置によって用いることと、
を更に含む、請求項１に記載の方法。
【請求項１２】
コメントに応答するための方法であって、
公開投稿に関する複数のコメントを端末装置によって表示することと、
前記複数のコメントからの第１のコメントのユーザによる選択を前記端末装置によって受信することと、
前記受信に応じて、前記第１のコメントに加えて、前記複数のコメントからの１つ又は複数のコメントに対して、まとめて応答するためのインタフェースを前記ユーザに提供することと、
前記第１のコメントに加えて第２のコメントに応答する要求を前記端末装置によって前記インタフェースを介して取得することと、
前記第１のコメントに加えて前記第２のコメントに応答する前記要求を前記端末装置によってサーバに送信することと、
前記端末装置によって前記サーバから、前記複数のコメントに基づく第１の対象グループを取得することであって、前記第１の対象グループが、前記第１のコメントに含まれるキーワードと共通する又は同義である少なくとも１つのキーワードを有する応答対象を含むことと、
前記サーバによって返された前記第１の対象グループに従って、前記応答対象を前記端末装置によって決定することと、
前記第１の対象グループに含まれる前記応答対象を前記端末装置によって表示することと、
前記応答対象への応答であって、前記ユーザによって入力された応答を前記端末装置によって受信することと、
前記第１の対象グループに含まれる前記応答対象への前記応答を前記端末装置によって送信することと、
を含む方法。
【請求項１３】
前記応答対象をフィルタリングする要求を取得することと、
第２の対象グループを取得するために、前記応答対象をフィルタリングすることであって、前記第２の対象グループが、フィルタリングされた応答対象を含むことと、
を更に含み、
前記応答対象に前記応答を送信することが、前記フィルタリングされた応答対象に前記応答を送信することを含む、請求項１２に記載の方法。
【請求項１４】
１つ又は複数のプログラムを格納する非一時的なコンピュータ可読記憶媒体であって、前記１つ又は複数のプログラムが、命令であって、コンピュータシステムのプロセッサによって実行された場合に、
公開投稿に関する複数のコメントの表示を行うことと、
前記複数のコメントからの第１のコメントのユーザによる選択を受信することと、
前記受信に応じて、前記第１のコメントに加えて、前記複数のコメントからの１つ又は複数のコメントに対して、まとめて応答するためのインタフェースを前記ユーザに提供することと、
前記第１のコメントに加えて前記複数のコメントからの第２のコメントに応答する要求を取得することと、
前記複数のコメントから第１の対象グループを決定することであって、前記第１の対象グループが、前記第１のコメントに含まれるキーワードと共通する又は同義である少なくとも１つのキーワードを有する応答対象を含むことと、
前記第１の対象グループに含まれる前記応答対象の表示を行うことと、
前記第１のコメント及び前記第２のコメントに対する応答であって、前記ユーザによって入力された応答を受信することと、
前記第１の対象グループに含まれる前記応答対象のそれぞれに前記応答を送信することと、
を含む方法を前記コンピュータシステムに実行させる命令を含む非一時的なコンピュータ可読記憶媒体。
【請求項１５】
前記方法が、第２の対象グループを取得するために前記応答対象をフィルタリングすることを更に含み、前記第２の対象グループが、フィルタリングされた応答対象を含み、前記応答対象のそれぞれに前記応答を送信することが、前記フィルタリングされた応答対象のそれぞれに前記応答を送信することを含む、請求項１４に記載の非一時的なコンピュータ可読記憶媒体。
【請求項１６】
前記複数のコメントから前記第１の対象グループを決定することが、
前記コメントから少なくとも１つの応答対象を決定することであって、前記少なくとも１つの応答対象が、前記第１のコメントに含まれるキーワードと共通する又は同義である少なくとも１つのキーワードを有することと、
前記少なくとも１つの応答対象の作成者と、前記コメントを受信するユーザとの間の関係を決定することと、
前記関係に基づいて前記第１の対象グループを決定することと、
を含む、請求項１４に記載の非一時的なコンピュータ可読記憶媒体。
【請求項１７】
前記関係に基づいて前記第１の対象グループを決定することが、前記応答対象の作成者と前記ユーザとの間の相異なる関係に基づいて前記第１の対象グループの複数のサブ対象グループを決定することを含み、
前記方法が、前記選択されたサブ対象グループを取得するために、前記サブ対象グループをフィルタリングするコマンドオプションを提供することを更に含み、
前記応答対象のそれぞれに前記応答を送信することが、前記選択されたサブ対象グループにおける応答対象に前記応答を送信することを含む、請求項１６に記載の非一時的なコンピュータ可読記憶媒体。
【請求項１８】
前記方法が、
前記応答を取得することと、
前記応答の多数のバージョンを取得するために、前記取得された応答を修正し、前記応答対象のそれぞれのための前記応答を生成することであって、前記多数のバージョンのそれぞれが、前記応答対象の１つに応答することと、
を更に含む、請求項１４に記載の非一時的なコンピュータ可読記憶媒体。
【請求項１９】
１つ又は複数のプログラムを格納する非一時的なコンピュータ可読記憶媒体であって、前記１つ又は複数のプログラムが、命令であって、コンピュータシステムのプロセッサによって実行された場合に、
公開投稿に関する複数のコメントの表示を行うことと、
前記複数のコメントからの第１のコメントのユーザによる選択を受信することと、
前記受信に応じて、前記第１のコメントに加えて、前記複数のコメントからの１つ又は複数のコメントに対して、まとめて応答するためのインタフェースを前記ユーザに提供することと、
前記第１のコメントに加えて前記複数のコメントからの第２のコメントに応答する要求を取得することと、
前記第１のコメントに加えて前記第２のコメントに応答する前記要求をサーバに送信することと、
前記複数のコメントに基づく第１の対象グループを前記サーバから取得することであって、前記第１の対象グループが、前記第１のコメントに含まれるキーワードと共通する又は同義である少なくとも１つのキーワードを有する応答対象を含むことと、
前記サーバによって返された前記第１の対象グループに従って前記応答対象を決定することと、
前記第１の対象グループに含まれる前記応答対象の表示を行うことと、
前記応答対象への応答であって、前記ユーザによって入力された応答を受信することと、
前記第１の対象グループに含まれる前記応答対象に前記応答を送信することと、
を含む方法を前記コンピュータシステムに実行させる命令を含む非一時的なコンピュータ可読記憶媒体。
【請求項２０】
前記方法が、
前記応答対象をフィルタリングする要求を取得することと、
第２の対象グループを取得するために前記応答対象をフィルタリングすることであって、前記第２の対象グループが、フィルタリングされた応答対象を含むことと、
を更に含み、
前記応答対象に前記応答を送信することが、前記フィルタリングされた応答対象に前記応答を送信することを含む、請求項１９に記載の非一時的なコンピュータ可読記憶媒体。